(57)【要約】【課題】電池寿命の低下を防止することができ、かつ、ワイヤーハーネスのコストも抑制することができるエンジン自動車の電気システムを提供する。【解決手段】本発明のエンジン自動車の電気システムは、エンジン始動スイッチ４の操作によって、電池３０からの放電電流及び電気二重層キャパシタ１１からの放電電流がエンジンスタータ２に流れ込むように構成される。エンジンスタータ２に対して電気二重層キャパシタ１１は電池３０より近接するように配置され、電池３０からの放電電流が流れるワイヤーハーネス１２は電気二重層キャパシタ１１からエンジンスタータ２への放電電流が流れる給電線９、１０に接続される。エンジンスタータ２の始動時には、電池３０からの放電電流が、電気二重層キャパシタ１１からの放電電流に比べて小さくなるようにワイヤーハーネス１２を選択する。【選択図】図１
2007253879.tif 000002
【特許請求の範囲】
【請求項１】
エンジン始動スイッチの操作によって、電池からの放電電流及び電気二重層キャパシタからの放電電流がエンジンスタータに流れ込むように構成されたエンジン自動車の電気システムにおいて、
前記エンジンスタータに対して前記電気二重層キャパシタは前記電池より近接するように配置され、前記電池からの放電電流が流れるワイヤーハーネスは前記電気二重層キャパシタから前記エンジンスタータへの放電電流が流れる給電線に接続され、前記エンジンスタータ始動時には、前記電池からの放電電流が、前記電気二重層キャパシタからの放電電流に比べて小さくなるように、前記ワイヤーハーネスを選択することを特徴とするエンジン自動車の電気システム。
【請求項２】
前記ワイヤーハーネスの選択は、前記ワイヤーハーネスの導体の断面積により行うことを特徴とする請求項１に記載のエンジン自動車の電気システム。
【発明の詳細な説明】
【技術分野】
【０００１】
自動車のエンジンを始動する際に、電池と電気二重層キャパシタとによる電流を併用したエンジン自動車の電気システムに関する。
【背景技術】
【０００２】
図３は、従来のエンジン自動車のエンジンを始動するときの電気回路構成を示したものである。図３において、１はエンジン、２はエンジンスタータ、３は電池、４はエンジン始動スイッチ、５はエンジン１からの動力を受け発電を行うオルタネータ、６はヒューズボックス、７１及び７２は自動車の電気負荷であり、例えば、ライト、ドアーモータなどである。また、８は車体（アース）、９はエンジンスタータ２とエンジン始動スイッチ４間の給電線、１０はエンジン始動スイッチ４と電池３間の給電線である。現在のエンジン自動車の電池３は公称１２Ｖ又は２４Ｖの鉛電池が殆どで、多くのエンジン自動車のエンジンスタータ２は、現在直流電動機の直巻電動機である。
【０００３】
次に自動車のエンジン始動動作について図３を用いて説明する。図３で、エンジン始動スイッチ４をオンすると、エンジンスタータ２に電池３が接続され、電池電圧によってエンジンスタータ２は回転を始め、エンジン１は回転を始める。エンジン１には燃料が供給されており、適当な回転数に達するとエンジン１は自力で回転を始め、エンジン１の回転数は上昇始め、エンジンスタータ２によるエンジンのスタート動作は終了し、エンジンス始動スイッチ４がオフされ、エンジンスタータ２への電池電圧供給は断となる。
【０００４】
図４は、従来のエンジン自動車の電気システムの等価回路を示す図である。図４において、図３と同じ構成要素には同じ番号を付してある。２ａはエンジンスタータ２の電機子、２ｂはエンジンスタータの抵抗で、図示していないが電機子巻線、界磁巻線及びブラシの合成抵抗である。３ａは電池セルで、３ｂは電池の内部抵抗である。１００ａは給電線９及び１０の抵抗である。説明を簡単にするためにスイッチ４の抵抗については省略した。
【０００５】
図５は、エンジンスタータ２に用いられる直巻電動機の一般的な特性について示したもので、電流、トルク及び回転数の時間に対する特性を示している。図５から、エンジンが回転し始める時には大きな電流が流れ、回転が上昇するに伴って電流が減少する。回転数ゼロはエンジンが回転を始める時で、この時のエンジンスタータ２の電流Ｉ0及びトルクＴ0は次式で表される。
【０００６】
Ｉ0＝Ｖb／（Ｒ1＋Ｒb＋Ｒs）          （１）
Ｔ0＝ｋ・Ｉ02                  （２）
ここで、Ｖbは電池３の電圧（Ｖ）であり、Ｒ1は給電線９及び１０の抵抗（Ω）であり、Ｒbは電池の内部抵抗（Ω）であり、Ｒsはスタータモータの抵抗（Ω）であり、ｋは定数である。
【０００７】
式（１）及び（２）から、エンジンスタート時のトルクＴ0は、電池電圧Ｖbの二乗に比例し、配線及び電池の内部抵抗を含んだスタータ回路の抵抗（Ｒ1＋Ｒb＋Ｒs）の二乗に反比例していることがわかる。すなわち、電池３の電圧が７０％に低下するとエンジンスタータ２の発生トルクＴ0は、約５０％に減少する。このため、エンジンスタータ２の特性から確実にエンジン１をスタートさせるには、規定の電池電圧の確保が必須である。
【０００８】
エンジン自動車のエンジン始動を確実の行わせるためには、エンジン回転数を確実に規定回転数まで上昇させることが重要となる。図６は、エンジンスタータ２に直巻電動機を使用した場合のエンジンスタータ２の電圧−電流、トルク特性について印加電圧を変化させた割合で示したものである。図６から、電圧が５０％になると電流Ｉ0は１／２に、始動トルクＴ0は、１／４に減少することを示している。
【０００９】
最近の環境及び石油資源問題から、エンジン自動車の“アイドル・ストップ運転”が注目されている。この”アイドル・ストップ運転“は、交差点の信号待ちではエンジンのアイドリング運転を停止し、再出発時にエンジンを再始動するもので、自動車の燃費向上による自動車排気ガス量が低減する。特に、市街地走行時は、信号数が多いため、”アイドル・ストップ運転“による効果が大きく、今後普及して行くものと思われる。この”アイドル・ストップ運転“が多用される自動車では、”アイドル・ストップ運転“をしない自動車に比べ、エンジン始動が頻繁になるため、電池からのエンジン始動電流の放電回数が増大する。従来の自動車搭載の電池は、前述のような”アイドル・ストップ運転“を考慮しない、通常のエンジン始動に対処した性能（特に寿命）になっている。
【００１０】
図７は、自動車搭載の電池として一般的な鉛電池の大電流の放電回数と電池の内部抵抗の代表的な変化を示したものである。図７から、鉛電池は、放電回数の増加につれて、内部抵抗が大きく増大する特性であることがわかる。即ち、電池寿命末期では、使用初め直後の値に比べ、約５倍に達することを示している。“アイドル・ストップ運転”すると大電流放電回数が大幅に増加するので、図７から自動車搭載の電池の寿命が大幅に短くなってしまうことがわかる。すなわち、電池を搭載した自動車で“アイドル・ストップ運転”を行うと、１）電池寿命が大幅に低下し、電池交換回数が増加する、２）最悪、エンジン始動が出来なることが発生する、といった問題が発生してしまう。
【００１１】
そこで、このような問題を解決するために、自動車のエンジンを始動する際には、電池と電気二重層キャパシタとによる電流を併用したエンジン自動車が提案されており、例えば、特許文献１（特開平１０−１９１５７６号公報）には、車載発電機により充電される電気二重層コンデンサ及び鉛蓄電池を有し車両に搭載された種々の電気的負荷に対し電流供給を行う車両用電源装置において、前記電気二重層コンデンサは、前記発電機の出力端子に直接的に接続され、前記鉛蓄電池は、前記電気二重層コンデンサと発電機との接続ラインに抵抗を介して接続され、前記電気二重層コンデンサ及び鉛蓄電池から前記電気的負荷への電流供給のための接続は、前記電気二重層コンデンサからのみエンジンのスタータモータへの電流供給を行い、前記鉛蓄電池からは前記スタータモータ以外の他の電気的負荷に電流供給を行うようになされたことを特徴とする電気二重層コンデンサを用いた車両用電源装置が開示されている。
【００１２】
電気二重層コンデンサは、大電流を繰り返し放電できる特徴を有する蓄電装置である。また、電池は図８に示すように、放電電流が小さければ、放電回数が増加する、すなわち、寿命が延びる蓄電装置である。（図８は、従来の鉛電池の放電電流値と許容放電サイクル数の関係についての一例を示したものである。同図から、放電電流を小さくすれば、許容放電サイクル数は大きく増加することがわかる。）
従って、特許文献１記載のような電池と電気二重層コンデンサとによる電流を併用したエンジン自動車は非常に理にかなったものであり、これによれば、エンジンスタータ２を始動するための電流を、大電流を繰り返し放電できる電気二重層コンデンサからの電流で援用することができるので、電池の寿命を低下させることがない。
【特許文献１】特開平１０−１９１５７６号公報
【発明の開示】
【発明が解決しようとする課題】
【００１３】
ところで、バスなどの大型自動車は図９に示すように、エンジン１の周辺の構成であるエンジンスタータ２やオルタネータ５の位置と、電池３の位置とが離れており、バスなどの大型自動車では、電池３とエンジンスタータ２間の給電線の長さは車両長に近い長さとなっている。前述するようにエンジン始動時に、エンジンスタータ２には大きな電流を流す必要があること、及び、上記のように電池３とエンジンスタータ２間の給電線が長いこと、の２つの理由により、電池３とエンジンスタータ２との間の給電線として用いられるワイヤーハーネスには、低抵抗なものが求められており、導体の断面積が非常に大きなものが一般的に用いられる。この給電線（ワイヤーハーネス）は、図３においては、９及び１０として示されるものである。
【００１４】
バスなどの大型自動車においてエンジンスタータ２の始動電流を、電気二重層コンデンサに援用しようとする場合、特許文献１記載の発明によれば、図３の給電線９、１０の箇所に抵抗を介挿しなくてはならない。バスなどの大型自動車の場合、前記の通り、給電線（ワイヤーハーネス）９、１０には低抵抗なものが求められるにも関わらず、特許文献１に記載の発明によれば、この給電線（ワイヤーハーネス）９、１０に抵抗を設けなければならない、ということになってしまう。すなわち、特許文献１記載の発明は、バスなどの大型自動車のエンジン１、電池３等の実際のレイアウトについては考慮されておらず、特許文献１記載の発明をそのままバスなどの大型自動車には適用することはできない、という課題があった。
【００１５】
また、特許文献１記載の発明では、抵抗などの部品を別に設けなければならず、コストがかかってしまう、という課題もあった。
【００１６】
また、バスなどの大型自動車に用いる電池３とエンジンスタータ２間の給電線（ワイヤーハーネス）は、導体の断面積が非常に大きなもので高価なものであり、コストがかさむ、という課題があった。
【課題を解決するための手段】
【００１７】
本発明は、このような課題を解決するものであって、請求項１に係る発明は、エンジン始動スイッチの操作によって、電池からの放電電流及び電気二重層キャパシタからの放電電流がエンジンスタータに流れ込むように構成されたエンジン自動車の電気システムにおいて、前記エンジンスタータに対して前記電気二重層キャパシタは前記電池より近接するように配置され、前記電池からの放電電流が流れるワイヤーハーネスは前記電気二重層キャパシタから前記エンジンスタータへの放電電流が流れる給電線に接続され、前記エンジンスタータ始動時には、前記電池からの放電電流が、前記電気二重層キャパシタからの放電電流に比べて小さくなるように、前記ワイヤーハーネスを選択したことを特徴とする。
【００１８】
また、請求項２に係る発明は、請求項１に記載のエンジン自動車の電気システムにおいて、前記ワイヤーハーネスの選択は、前記ワイヤーハーネスの導体の断面積により行うことを特徴とする。
【発明の効果】
【００１９】
本発明の実施の形態に係るエンジン自動車の電気システムは、エンジンスタータと電池との間に、電気二重層キャパシタを挿入して、電気二重層キャパシタとエンジンスタータ間の給電線は従来と同じとし、電気二重層キャパシタと電池間のワイヤーハーネスは細くして給電線の抵抗を大きくする、とったような調整を行うものである。これにより、本発明の実施の形態に係るエンジン自動車の電気システムでは、バスなどの大型自動車におけるエンジンスタータ２の始動電流の大部分を電気二重層キャパシタの放電電流でまかなうことができ、電池寿命の低下を防止することができるようなる。また、本発明の実施の形態に係るエンジン自動車の電気システムでは、ワイヤーハーネスは従来より抵抗が大きいもの（線径の小さいもの、断面積の少ないもの）を使用することができるので、ワイヤーハーネス自体のコストを低減することができる。また、抵抗などの部品を設ける必要もなくコストがかからない。また、本発明では電気二重層キャパシタを併用することに付随して、従来の電池より電流容量が少ないもの（従来より一回り小さい電池）を使用することができようになり、電池のコストを削減することができる。
【発明を実施するための最良の形態】
【００２０】
以下、本発明の実施の形態を図面を参照しつつ説明する。図１は、本発明の実施形態に係るエンジン自動車の電気システムの構成を示す図である。本発明の実施形態に係るエンジン自動車の電気システムは、図９の示すようなバスなどの大型自動車に適用するものである。すなわち、本発明は、電池とエンジンスタータ間の給電線長が比較的長い場合に適用される電気システムである。
【００２１】
図１において、１はエンジン、２はエンジンスタータ、３０は電池、４はエンジン始動スイッチ、５はオルタネータ、６はヒューズボックス、７１及び７２はライト、ドアーモータなどの自動車の電気負荷である。また、８は車体（アース）、９０はエンジンスタータ２とエンジン始動スイッチ４間の給電線、１００はエンジン始動スイッチ４と電気二重層キャパシタ１１間の給電線、１２は電気二重層キャパシタ１１から電池３０間の給電線（ワイヤーハーネス）を示している。
【００２２】
本発明の実施形態に係るエンジン自動車の電気システムは、図３に示したエンジン自動車の電気システムの電池３０とエンジン始動スイッチ４との間に蓄電装置である電気二重層キャパシタ１１を挿入したものであり、この電気二重層キャパシタ１１によって、エンジン始動時のエンジンスタータ２への電流の大部分を給電するものであり、前述のような電池３０の寿命低下に対処するものである。
【００２３】
図１において、給電線の太さは意図的に変えて示しており、太い線は断面積の大きい給電線であることを表し、細い線はよりそれより小さい断面積の給電線であることを示している。図１の例では、エンジンスタータ２と電気二重層キャパシタ１１間の、給電線９０及び給電線１００は、電池３０と電気二重層キャパシタ１１間の給電線（ワイヤーハーネス）１２より断面積の大きい給電線であることを示している。
【００２４】
図２は、本発明の実施形態に係るエンジン自動車の電気システムの等価回路を示す図であり、この図２は、従来のエンジン自動車の電気システムの等価回路図である図５に対応させて示したものである。図２において、図１と同じ構成要素には同じ番号を付してある。図２において、２ａはエンジンスタータ２の電機子、２ｂはエンジンスタータの抵抗で、図示していないが電機子巻線、界磁巻線及びブラシの合成抵抗である。９０ａはエンジンスタータ２とエンジン始動スイッチ４間及びエンジン始動スイッチ４と電気二重層キャパシタ１１間の給電線の合成抵抗、１２ａは電気二重層キャパシタ１１と電池３０間の給電線（ワイヤーハーネス）１２の抵抗を示している。３０ａは電池３０の電池セル、３０ｂは電池３０の内部抵抗を示している。なお、説明を簡単にするためにスイッチ４の抵抗については省略した。電流ｉはエンジンスタータ２に流れる電流、ｉbは電池３０の放電電流、ｉcは電気二重層キャパシタ１１からの放電電流を示している。
【００２５】
エンジン始動時の電気二重層キャパシタ１１の電流ｉcと電池３０の電流ｉbとの比は次の（３）式のようになる。
【００２６】
ｉb／ｉc＝１／（１＋（Ｒ2＋Ｒ3）／Ｒ1）          （３）
ここで、Ｒ1は電気二重層キャパシタ１１の内部抵抗１１０ａの抵抗値（ｍΩ）であり、Ｒ2は電池３０の内部抵抗３０ｂの抵抗値（ｍΩ）であり、Ｒ3は給電線（ワイヤーハーネス）１２の抵抗値（ｍΩ）である。
【００２７】
次に、電気二重層キャパシタ１１として、（株）パワーシステム社の標準キャパシタモジュールＭ１−００１−１を適用した電池電圧２４Ｖシステムの場合の具体例につき説明する。この標準キャパシタモジュールの内部抵抗は２２ｍΩであり、代表的な自動車用２４Ｖ電池の内部抵抗は新生時、約４ｍΩ程度である。電気二重層キャパシタ１１として、実際にこの標準キャパシタモジュールを用いる場合は、標準キャパシタモジュールを並列接続して使用する。
【００２８】
表１は、仮に給電線（ワイヤーハーネス）１２の長さを５ｍとし、標準キャパシタモジュールの並列数を２個とした場合、３個とした場合、４個とした場合それぞれにおいて、給電線（ワイヤーハーネス）１２の断面積を５（ｍｍ2）から２２（ｍｍ2）まで変化させたときの、電池電流低減率（ｉb／ｉc）の変化を示している。
【００２９】
【表１】
2007253879.tif 000003
【００３０】
例えば、表１から、標準キャパシタモジュールを４個並列にして電気二重層キャパシタ１１を構成した場合に、給電線の断面積を５（ｍｍ2）にすると、電池３０からエンジンスタータ２に流れる電流ｉbは電気二重層キャパシタ１１からエンジンスタータ２に流れる電流ｉcの１／５程度に低減出来ることがわかる。
【００３１】
本発明の実施形態に係るエンジン自動車の電気システムにおいては、エンジン始動時に、電池３０の電流負担を減らすことを目的としている。すわなち、電池３０からエンジンスタータ２に流れる電流ｉbを、電気二重層キャパシタ１１からエンジンスタータ２に流れる電流ｉcに比べて小さくすることを目的としており、この目的を達成するために、本発明においては、給電線（ワイヤーハーネス）１２自体の抵抗値を調整することを特徴としている。そして、給電線（ワイヤーハーネス）１２自体の抵抗値の調整は、給電線（ワイヤーハーネス）１２の導体の断面積を選択することによって行う。表１に示すように、標準キャパシタモジュールの並列数を２個とした場合、３個とした場合、４個とした場合のいずれの場合においても、給電線（ワイヤーハーネス）１２の断面積を小さくするに従って、電池電流低減率（ｉb／ｉc）を小さくすることができ、電池３０の電流負担を減らすことができる。
【００３２】
以上のように、本発明の実施の形態では、電池３０がエンジンスタータ２から離れた位置に設置されているバスなどの大型自動車の場合、電気二重層キャパシタ１１をエンジンスタータ２の近傍に設置すると共に、給電線（ワイヤーハーネス）１２の断面積を調整することによって、給電線（ワイヤーハーネス）１２の抵抗は大きくし電池３０からの放電電流を減らし、電気二重層キャパシタ１１の放電電流は電池３０からの放電電流に比べて多くするようになす。これにより、電池３０の寿命低下を防止することができる。
【００３３】
また、本発明の実施の形態では、給電線（ワイヤーハーネス）１２には断面積の少ない抵抗の大きい、従来より安価なものを使用することができるので、コストを削減することが可能ともなる。
【００３４】
自動車の電池容量は、通常エンジンスタート時の電流容量から決められている。本発明では、エンジンスタート時の電流容量の大部分を電気二重層キャパシタ１１でまかなうことができるために、従来の電池より電流容量が少ないもの（従来より一回り小さい電池）を使用することができ、電池のコストを削減することができる。
【００３５】
本発明の実施の形態では、電気二重層キャパシタ１１からエンジンスタータ２までの給電線９０及び１００の抵抗は出来るだけ小さいとよいので、この部分の給電線は従来と同じような太さと長さにすることが望ましい。以上では、電気二重層キャパシタ１１と電池３０間の給電線（ワイヤーハーネス）１２の長さが５ｍの場合で説明したが、電気二重層キャパシタ１１と電池３０間の給電線（ワイヤーハーネス）１２の抵抗値は給電線の長さに比例し、断面積に反比例するので電気二重層キャパシタ１１と電池３０の実車搭載位置に応じて、望ましい給電線（ワイヤーハーネス）１２の長さと断面積を選定するとよい。
【図面の簡単な説明】
【００３６】
【図１】本発明の実施形態に係るエンジン自動車の電気システムの構成を示す図である。
【図２】本発明の実施形態に係るエンジン自動車の電気システムの等価回路を示す図である。
【図３】従来のエンジン自動車の電気システムの構成を示す図である。
【図４】従来のエンジン自動車の電気システムの等価回路を示す図である。
【図５】エンジンスタータ２に用いられる直巻電動機の一般的な特性を示す図である。
【図６】エンジンスタータ２の電圧−トルク、電流の代表的な特性を示す図である。
【図７】鉛電池の放電サイクル特性の一例を示す図である。
【図８】鉛電池の放電電流値と許容放電サイクル数の関係についての例を示す図である。
【図９】従来のエンジン自動車(バス)の電機品搭載例を示す図である。
【符号の説明】
【００３７】
１・・・エンジン、２・・・エンジンスタータ、２ａ・・・エンジンスタータの電機子
２ｂ・・・エンジンスタータの内部抵抗、３、３０・・・電池、３ａ、３０ａ・・・電池セル、３ｂ、３０ｂ・・・電池の内部抵抗、４・・・エンジン始動スイッチ、５・・・オルタネータ、６・・・ヒューズボックス、８・・・車体（アース）、９、９０・・・エンジンスタータ〜エンジン始動スイッチ間の給電線、１０・・・エンジン始動スイッチ〜電池間の給電線、１１・・・電気二重層キャパシタ、１２・・・電気二重層キャパシタ〜電池間の給電線（ワイヤーハーネス）、１２ａ・・・給電線（ワイヤーハーネス）１２の抵抗、１３・・・抵抗器、１３ａ・・・抵抗器〜電気二重層キャパシタ間の給電線、１３ｂ・・・抵抗器〜電池間の給電線、７１，７２・・・電気負荷、９０ａ・・・給電線９０の抵抗、１００・・・エンジン始動スイッチ〜電気二重層キャパシタ間の給電線、１００ａ・・・給電線１２の抵抗、１００ｂ・・・エンジンスタータ〜電気二重層キャパシタ間のハーネス、１１０・・・電気二重層キャパシタ１１のセル、１１０ａ・・・電気二重層キャパシタ１１の内部抵抗
【図１】
2007253879.tif 000004
【図２】
2007253879.tif 000005
【図３】
2007253879.tif 000006
【図４】
2007253879.tif 000007
【図５】
2007253879.tif 000008
【図６】
2007253879.tif 000009
【図７】
2007253879.tif 000010
【図８】
2007253879.tif 000011
【図９】
2007253879.tif 000012
【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
エンジン始動スイッチの操作によって、電池からの放電電流及び電気二重層キャパシタからの放電電流がエンジンスタータに流れ込むように構成されたエンジン自動車の電気システムにおいて、
前記エンジンスタータに対して前記電気二重層キャパシタは前記電池より近接するように配置され、前記電池からの放電電流が流れるワイヤーハーネスは前記電気二重層キャパシタから前記エンジンスタータへの放電電流が流れる給電線に接続され、前記電池からの放電電流をｉb、前記電気二重層キャパシタからの放電電流をｉc、前記電気二重層キャパシタの内部抵抗の抵抗値をＲ1、前記電池の内部抵抗の抵抗値をＲ2、前記ワイヤーハーネスの抵抗値をＲ3とするとき、
ｉb／ｉc＝１／（１＋（Ｒ2＋Ｒ3）／Ｒ1）    
に基づいて、前記エンジンスタータ始動時には、前記電池からの放電電流ｉbが、前記電気二重層キャパシタからの放電電流ｉcに比べて小さくなるように、前記ワイヤーハーネスを選択することを特徴とするエンジン自動車の電気システム。
【手続補正２】
【補正対象書類名】明細書
【補正対象項目名】００１７
【補正方法】変更
【補正の内容】
【００１７】
本発明は、このような課題を解決するものであって、請求項１に係る発明は、エンジン始動スイッチの操作によって、電池からの放電電流及び電気二重層キャパシタからの放電電流がエンジンスタータに流れ込むように構成されたエンジン自動車の電気システムにおいて、前記エンジンスタータに対して前記電気二重層キャパシタは前記電池より近接するように配置され、前記電池からの放電電流が流れるワイヤーハーネスは前記電気二重層キャパシタから前記エンジンスタータへの放電電流が流れる給電線に接続され、前記電池からの放電電流をｉb、前記電気二重層キャパシタからの放電電流をｉc、前記電気二重層キャパシタの内部抵抗の抵抗値をＲ1、前記電池の内部抵抗の抵抗値をＲ2、前記ワイヤーハーネスの抵抗値をＲ3とするとき、
ｉb／ｉc＝１／（１＋（Ｒ2＋Ｒ3）／Ｒ1）    
に基づいて、前記エンジンスタータ始動時には、前記電池からの放電電流ｉbが、前記電気二重層キャパシタからの放電電流ｉcに比べて小さくなるように、前記ワイヤーハーネスを選択することを特徴とする。